【事件の表示】
　特願２０００−１５６７３０「シードビームを用いるＬ−バンド光ファイバ増幅器」拒絶査定不服審判事件〔平成１３年　１月１９日出願公開、特開２００１−　１５８４２〕について、次のとおり審決する。
【結　論】
　本件審判の請求は、成り立たない。
【理　由】
１．手続の経緯・本願発明
　本願は、平成１２年５月２６日（優先権主張　１９９９年６月２３日、韓国）の出願であって、その請求項に係る発明は、平成１４年１１月１２日付手続補正書により補正された明細書及び図面の記載からみて、特許請求の範囲に記載された事項により特定されるとおりのものであるところ、請求項１に係る発明（以下、「本願発明」という。）は次のものであると思われる。
「【請求項１】希土類添加光ファイバと、前記希土類添加光ファイバにポンピング光を供給する少なくとも一つ以上のポンピング光源からなるＬ-バンド光ファイバ増幅器において、
　１５５５nm〜１５６３nm間の波長帯域のシードビームを出力するシードビーム光源と、入力端と希土類添加光ファイバとの間に位置し、入力された信号光と前記シードビームを結合して希土類添加光ファイバに順方向出力するシードビーム結合器とを含んでなることを特徴とするシードビームを用いるＬ-バンド光ファイバ増幅器。」
　なお、上記請求項の「シートビーム」は「シードビーム」の誤記であることは明らかであるから、上記のとおり認定した。
　
２．引用刊行物記載の発明
　これに対して、原査定の拒絶の理由に引用された、本願の出願前に頒布された「 J.F. Massicott,et al., Low noise operation of Er3+ doped silica  fibre amplifier around 1.6 μm, Electronics Letters, Vol.28, No.20,  Sept. 1992, pp.1924 -1925.」（以下、「引用例」という。）には、Ｆｉｇ．１とともに、次の事項が記載されている。
「Introduction: Er3+ doped silica fibre amplifiers have been extensively investigated for a variety of telecommunications applications. For use in broadband optical networks, amplifiers with host glasses containing aluminium are of particular interest. Such a device can provide a 40nm bandwidth centred about 1.55μm when operating at a net population inversion level of 〜60% [1]. By reconfiguring the amplifier for optimum performance at a net inversion of 〜35%, however, it has been demonstrated that another 40nm gain window is available between 1.57 and 1.64μm [2]. It is envisaged that by multiplexing this 1.6μm amplifier in parallel with a conventional 1.55μm device, a doubling of the available gain bandwidth could be achieved.」
(１９２４頁左欄下から第３２行〜同頁左欄下から２０行)、
「The overall noise figure of a small signal amplifier is primarily determined by the population inversion at the signal input end, from which spontaneous emission experiences the full amplifier gain [7]. To construct a low noise amplifier, therefore, it is necessary to ensure good noise performance at the input end of the fibre only. A 1.6μm amplifier configuration using two copropagating pump sources of different wavelength can accommodate all the requirements for high gain and low noise operation. The majority of the pump power is provided at a short wavelength, in this case 1.48μm. A second, auxiliary, pump source at 1.555μm, is incorporated providing enough power to saturate the amplifier. From previous work [8], the quantum slope efficiency of this power transfer is known to be greater than 85%. The short wavelength pump creates the high initial inversion required for good noise performance but the bulk of the amplifier is pumped by the rapidly saturating auxiliary which pulls the inversion down to the desired 35% and so suppresses the build-up of backwards traveling ASE.
Experiment：The initial experimental arrangement was set up to measure the noise figure of the 1.6μm amplifier pumped at 1.555μm(Fig. 1). A commercial colour centre laser providing up to 200mW at 1.555μm was used as the pump source and an external cavity semiconductor laser tunable over the wavelength range 1.56−1.61μm was used to provide the signal. Both pump and signal were passed through variable attenuators and through 1% calibrated, polarization independent monitor couplers before being combined using a commercial fibre multiplexer. Spliced to the multiplexer were a polarisation independent, fibre coupled optical isolator, 120m of Er3+ doped fibre and finally a 15dB low backreflection attenuator. The output from the attenuator was measured using an optical spectrum analyser.
  Er3+ doped fibre had an SiO2-Al2O3-GeO2 core of diameter 5.5μm and △n=0.015. It was doped with Er3+ ions to a level corresponding to an absorption of 5.5dB/m at the 1.53μm absorption peak. The background loss measured at 1.1μm was less than 0.01dB/m. Of the 96mW of pump power launched into Er3+ doped fibre, 87mW was absorbed. The launched signal was kept constant at −31dBm while being tuned between 1.57 and 1.61μm. The output spectra were then used to measure the gain and ASE level from which the noise figure was calculated using eqn. 1.
  The experimental arrangement for the dual wavelength pumping scheme is shown in Fig. 2. The colour centre laser was tuned to 1.48μm. In its place, a 1.555μm distributed feedback laser followed by a standard 1.55μm Er3+ doped silica fibre optical amplifier was used as an auxiliary pump source. The signal source was unchanged. The output from all three sources was passed through the optical isolator and into the fibre as before. 91mW of 1.48μm pump power was launched of which 82mW was absorbed. The launched signal was again held constant at -31dBm but this time, for each wavelength step the input auxiliary pump power was varied between -30 and +1dBm. The gain and noise figure were obtained as before.」
(１９２４頁右欄１２行〜１９２５頁左欄９行)
　
３．対比・判断
　本願発明と引用例に記載の発明とを対比する。
(ａ)引用例に記載の「Er3+ doped fibre」、「the pump source」、「Er3+ doped silica fibre amplifier around 1.6μm」、「auxiliary pump source 」、「the signal 」、「a commercial fibre multiplexer」が、本願発明の「希土類添加光ファイバ」、「ポンピング光源」、「Ｌ-バンド光ファイバ増幅器」、「シードビーム光源」、「入力された信号光」、「シードビーム結合器」にそれぞれ相当する。
（ｂ）引用例のＦｉｇ．１において、「ＬＥＣ１６００ｎｍ」は、Ｌバンド信号光の入力端にあり、「ｔｅｓｔ　ｆｉｂｒｅ」は、Er3+ doped fibreを示すことは明らかである。そして、「ＬＥＣ１６００ｎｍ」から入力された信号光（signal）は、「ＤＦＢ１５５５ｎｍ」からの光（auxiliary pump）と結合していることがみて取れる。
（ｃ）上記（ａ）及び（ｂ）によれば、引用例が、「ＬＥＣ１６００ｎｍ」と「ｔｅｓｔ　ｆｉｂｒｅ」との間に位置し、入力された信号光と「ＤＦＢ１５５５ｎｍ」からの光を結合して「ｔｅｓｔ　ｆｉｂｒｅ」に順方向出力する構成を有すること、つまり、本願発明の、「１５５５nmの波長帯域のシードビームを出力するシードビーム光源と、入力端と希土類添加光ファイバとの間に位置し、入力された信号光と前記シードビームを結合して希土類添加光ファイバに順方向出力するシードビーム結合器とを含んでなる」に相当する構成を有することが把握される。　
　したがって、上記(ａ)〜(ｃ)からすると、引用例に記載の発明は、本願発明の構成をすべて備えているから、本願発明と引用例に記載の発明との間に実質的な相違点はない。
　
４．むすび
　したがって、本願発明は引用例に記載された発明であるから、特許法第２９条第１項第３号に該当し、特許を受けることができない。
　よって結論のとおり審決する。